【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
視聴ユーザにソーシャルエンドースメント情報とともに広告を表示するリクエストをコンピュータが受信することであって、前記視聴ユーザは、ソーシャルネットワーキングシステムのユーザであることと；
受信した前記リクエストに応じて広告を選択することと；
選択した前記広告に関係する前記ソーシャルネットワーキングシステムにおける、一つあるいは複数のオブジェクトを前記コンピュータが同定することと；
選択した前記広告に関連する複数の候補ソーシャルエンドースメントを前記コンピュータが同定することであって、それぞれ前記候補ソーシャルエンドースメントは同定オブジェクトと、前記ソーシャルネットワーキングシステムにおける前記視聴ユーザに繋がる一つあるいは複数の関連ユーザとの間の関連対話についての記述を含むことと；
複数の前記候補ソーシャルエンドースメントから１つの候補ソーシャルエンドースメントを前記コンピュータが選択することと；
前記視聴ユーザに表示すべく、選択した前記広告と、選択した前記候補ソーシャルエンドースメントとを前記コンピュータが提供することと
を含む、コンピュータ実施方法。
【請求項２】
前記コンピュータ実施方法はさらに、前記視聴ユーザと、前記候補ソーシャルエンドースメントに関連する一つあるいは複数のユーザとの間のアフィニティの手段を示すそれぞれの候補ソーシャルエンドースメントに対して、アフィニティスコアをコンピュータで計算することを含む、
請求項１記載のコンピュータ実施方法。
【請求項３】
前記候補ソーシャルエンドースメントは、計算アフィニティスコアに基づき選択される、
請求項２記載のコンピュータ実施方法。
【請求項４】
選択した前記広告に関係する前記ソーシャルネットワーキングシステムにおける一つあるいは複数のオブジェクトの同定は、前記同定オブジェクトを明確に同定する情報を、選択した前記広告に関連して受信することを含む、
請求項１記載のコンピュータ実施方法。
【請求項５】
選択した前記広告に関係する前記ソーシャルネットワーキングシステムにおける一つあるいは複数のオブジェクトの同定は、選択した前記広告に関係するオブジェクトを同定すべく、選択した前記広告を分析することを含む、
請求項１記載のコンピュータ実施方法。
【請求項６】
選択した前記広告の分析は、前記同定オブジェクトのうちの一つあるいは複数に関係するテキスト用語について、選択した前記広告を解析することを含む、
請求項５記載のコンピュータ実施方法。
【請求項７】
選択した前記広告の分析は、選択した前記広告に関連してアドタグを受信することを含み、
前記アドタグは、前記同定オブジェクトのうちの一つあるいは複数を同定する情報を含む、
請求項５記載のコンピュータ実施方法。
【請求項８】
選択した前記広告の分析は、
選択した前記広告に関連するウェブページを同定することと、
前記同定オブジェクトのうちの一つあるいは複数に関係するテキスト用語について、前記ウェブページを解析することと
を含む、請求項５記載のコンピュータ実施方法。
【請求項９】
選択した前記広告の分析は、選択した前記広告に関連するウェブページを同定することを含み、
前記同定オブジェクトのうちの一つあるいは複数は、前記ウェブページに関連する、
請求項５記載のコンピュータ実施方法。
【請求項１０】
少なくとも一つの対話は、前記関連ユーザのうちの一人による前記同定オブジェクトのうちの１つに関連した購入を含む、
請求項１記載のコンピュータ実施方法。
【請求項１１】
少なくとも一つの対話は、前記関連ユーザのうちの一人による同定オブジェクトとの関係表示を含む、
請求項１記載のコンピュータ実施方法。
【請求項１２】
少なくとも一つの対話は、前記関連ユーザのうちの一人による会場へのチェックインを含む、
請求項１記載のコンピュータ実施方法。
【請求項１３】
少なくとも一つの対話は、前記ソーシャルネットワーキングシステム外のウェブサイト上で生じる、
請求項１記載のコンピュータ実施方法。
【請求項１４】
少なくとも一つの対話は、前記ソーシャルネットワーキングシステム外で生じる、
請求項１記載のコンピュータ実施方法。
【請求項１５】
前記候補ソーシャルエンドースメントに対する計算アフィニティスコアのうちの一つあるいは複数は、前記候補ソーシャルエンドースメントに関連する対話に基づき計算される、
請求項２記載のコンピュータ実施方法。
【請求項１６】
前記候補ソーシャルエンドースメントに対する計算アフィニティスコアのうちの一つあるいは複数は、前記候補ソーシャルエンドースメントに関連する同定オブジェクトに基づき計算される、
請求項２記載のコンピュータ実施方法。
【請求項１７】
前記候補ソーシャルエンドースメントに対する計算アフィニティスコアのうちの一つあるいは複数は、前記候補ソーシャルエンドースメントに関連する前記関連ユーザに基づき計算される、
請求項２記載のコンピュータ実施方法。
【請求項１８】
前記候補ソーシャルエンドースメントに対する計算アフィニティスコアのうちの一つあるいは複数は、減衰因子に基づき計算される、
請求項２記載のコンピュータ実施方法。
【請求項１９】
前記減衰因子の速度は、関連対話に関連するアクションの種類に基づく、
請求項１８記載のコンピュータ実施方法。
【請求項２０】
前記減衰因子の速度は、関連対話に関連する前記同定オブジェクトに基づく、
請求項１８記載のコンピュータ実施方法。
【請求項２１】
前記減衰因子の速度は、関連対話に関連する前記関連ユーザに基づく、
請求項１８記載のコンピュータ実施方法。
【請求項２２】
広告を供すべくソーシャルエンドースメント情報を選択するようにコンピュータで実施されるシステムであって、前記システムは、
コンピュータプロセッサと；
前記コンピュータプロセッサで実行するように構成されるコンピュータプログラムモジュールを保存する、一時的ではないコンピュータ可読記憶媒体と
を備え、
前記コンピュータプログラムモジュールは、
視聴ユーザにソーシャルエンドースメント情報とともに広告を表示するリクエストを受信するように構成される受信モジュールであって、前記視聴ユーザは、ソーシャルネットワーキングシステムのユーザであることと；
受信した前記リクエストに応じて広告を選択するように構成される選択モジュールと；
選択した前記広告に関係する前記ソーシャルネットワーキングシステムにおける、一つあるいは複数のオブジェクトを同定するように構成されるオブジェクト同定モジュールと；
選択した前記広告に関連する複数の候補ソーシャルエンドースメントを同定するように構成される候補ソーシャルエンドースメント同定モジュールであって、それぞれ前記候補ソーシャルエンドースメントは同定オブジェクトと、前記ソーシャルネットワーキングシステムにおける前記視聴ユーザに繋がる一つあるいは複数の関連ユーザとの間の関連対話についての記述を含むことと；
複数の前記候補ソーシャルエンドースメントから候補ソーシャルエンドースメントを選択するように構成される選択モジュールと；
前記視聴ユーザに表示すべく、選択した前記広告と、選択した前記候補ソーシャルエンドースメントとを提供するように構成される提供モジュールと
を含む、コンピュータ実施されるシステム。
【請求項２３】
複数の同定オブジェクトは、前記視聴ユーザを同定することに基づき選択される、
請求項１記載のコンピュータ実施方法。
【請求項２４】
複数の前記アフィニティスコアは、表示される広告を前記視聴ユーザが選択するであろう予測可能性に基づき算出される、
請求項２記載のコンピュータ実施方法。
【請求項２５】
前記候補ソーシャルエンドースメントを第１候補ソーシャルエンドースメントとし、
前記コンピュータ実施方法はさらに、
複数の前記第１候補ソーシャルエンドースメントから第２候補ソーシャルエンドースメントを前記コンピュータが選択することと；
統合候補ソーシャルエンドースメントを生成すべく、前記第１候補ソーシャルエンドースメントと前記第２候補ソーシャルエンドースメントとを前記コンピュータが統合することと；
前記視聴ユーザに表示すべく、前記広告と前記統合候補ソーシャルエンドースメントとを前記コンピュータが提供することと
を含む、請求項１記載のコンピュータ実施方法。
【手続補正２】
【補正対象書類名】明細書
【補正対象項目名】発明の名称
【補正方法】変更
【補正の内容】
【発明の名称】視聴ユーザに表示する広告のためのソーシャルエンドースメント情報の選択方法および装置